(57)【要約】【課題】駆動モータの出力調整の操作性が良好な操作部材を有する魚釣用電動リールを提供する。また、駆動モータの出力調整操作が容易に行える魚釣用電動リールの操作部材を提供する。【解決手段】本発明に係る魚釣用電動リール１では、駆動モータの出力を調整する操作部材４０が、回動操作される操作部４５を備えており、操作部４５の位置が左右側板５Ａ，５Ｂ間で変位可能となっている。【選択図】  図１
2015208311.tif 000002
【特許請求の範囲】
【請求項１】
リール本体の左右側板間に設けられ、釣糸が巻回されるスプールと、
前記リール本体に設けられ、前記スプールを回転駆動する駆動モータと、
前記リール本体の上部に設けられ、前記駆動モータの出力を制御する制御ケースと、
前記スプール上方の左右側板間に回動可能に支持され、前記駆動モータの出力を調整する操作部材と、
を有しており、
前記操作部材は、回動操作される操作部を備えており、前記操作部の位置が左右側板間で変位可能であることを特徴とする魚釣用電動リール。
【請求項２】
前記操作部材は、左右側板間に回動可能に支持される本体軸を備えており、前記操作部は本体軸に沿ってスライド可能となるように本体軸に保持されていることを特徴とする請求項１に記載の魚釣用電動リール。
【請求項３】
前記本体軸と操作部は節度機構を備えており、前記操作部は、前記本体軸に対して節度を持ってスライド可能であることを特徴とする請求項２に記載の魚釣用電動リール。
【請求項４】
前記操作部材は、左右側板間に回動可能に支持される本体軸を備えており、前記操作部は、本体軸の軸方向の任意の位置で着脱可能に固定されることを特徴とする請求項１に記載の魚釣用電動リール。
【請求項５】
前記操作部は、前記本体軸の外表面から径方向外方に突出するレバー操作部を備えていることを特徴とする請求項１から４のいずれか１項に記載の魚釣用電動リール。
【請求項６】
前記本体軸は、その表面が回動操作可能なダイヤル操作部としての機能を備えていることを特徴とする請求項１から５のいずれか１項に記載の魚釣用電動リール。
【請求項７】
リール本体の左右側板間に設けられ、釣糸が巻回されるスプールと、
前記リール本体に設けられ、前記スプールを回転駆動する駆動モータと、
前記リール本体の上部に設けられ、前記駆動モータの出力を制御する制御ケースと、
前記スプール上方の左右側板間に回動可能に支持され、前記駆動モータの出力を調整する操作部材と、
を有しており、
前記操作部材は、回動操作されるダイヤル操作部と、このダイヤル操作部の表面からレバー形状のレバー操作部を突出状態及び収納状態に保持する保持機構と、を備えていることを特徴とする釣用電動リール。
【請求項８】
前記保持機構は、前記レバー操作部を収納状態に保持するとき、その先端をダイヤル操作部から僅かに突出させた状態にすることを特徴とする請求項７に記載の魚釣用電動リール。
【請求項９】
リール本体の左右側板間に設けられ、釣糸が巻回されるスプールと、
前記リール本体に設けられ、前記スプールを回転駆動する駆動モータと、
前記リール本体の上部に設けられ、前記駆動モータの出力を制御する制御ケースと、
前記スプール上方の左右側板間に回動可能に支持され、前記駆動モータの出力を調整する操作部材と、
を有しており、
前記操作部材は、回動操作されるダイヤル操作部と、このダイヤル操作部の表面から突出するレバー形状のレバー操作部と、を備え、
前記レバー操作部は、前記操作部材に対して着脱可能に装着されていることを特徴とする魚釣用電動リール。
【請求項１０】
リール本体の左右側板間に設けられ、釣糸が巻回されるスプールと、
前記リール本体に設けられ、前記スプールを回転駆動する駆動モータと、
前記リール本体の上部に設けられ、前記駆動モータの出力を制御する制御ケースと、
前記駆動モータの出力を調整する操作部材と、
を有し、
前記操作部材は、前記スプール上方の左右側板間において、着脱可能となるように回動可能に支持されていることを特徴とする魚釣用電動リール。
【請求項１１】
魚釣用電動リールのリール本体の左右側板間に設けられ、釣糸が巻回されるスプールを回転駆動する駆動モータの出力を調整する操作部材であって、
前記操作部材は、前記リール本体に設けられている係合部に対して着脱可能な着脱部を備えていることを特徴とする駆動モータの出力を調整する操作部材。
【請求項１２】
前記操作部材は、軸方向に伸縮可能な伸縮機構を備えており、前記操作部材を軸方向に伸縮させることによって前記魚釣用電動リールに対して着脱されることを特徴とする請求項１１に記載の駆動モータの出力を調整する操作部材。
【発明の詳細な説明】
【技術分野】
【０００１】
本発明は、魚釣用電動リール、及び駆動モータの出力の調整を行う操作部材に関する。
【背景技術】
【０００２】
従来、魚釣用電動リールとして、例えば、特許文献１に開示されているように、スプールを巻き取り操作する（駆動モータの出力を連続的に増減調整する）操作部材をレバー状に形成して、リール本体の一方の側板の上部に前後方向に回動可能に支持した構成が知られている。
【０００３】
また、例えば、特許文献２には、駆動モータの出力を調整する操作部材を２つにして、一方の操作部を左右の側板間に、他方の操作部を側板上または側板外方に設けたり、或いは、２つの操作部を側板上に振り分け配置したものが開示されている。
【先行技術文献】
【特許文献】
【０００４】
【特許文献１】特許第２９７７９７８号
【特許文献２】特開２０１３−５７３７号
【発明の概要】
【発明が解決しようとする課題】
【０００５】
上記の特許文献１に開示されている魚釣用電動リールでは、一方の手でリール本体を把持し、他方の手で釣竿を握持している状況下では、手の指で駆動モータの出力調整操作を容易に行うことができないため、操作性が劣るという問題がある。例えば、大きい魚が掛かったとき、或いは、釣竿をロッドキーパに装着するときは、一方の手でリール本体を把持し、他方の手でリール本体前方の釣竿を握持することから、この状態で咄嗟に駆動モータの出力を調整することはできない。
【０００６】
また、特許文献２に開示されている魚釣用電動リールは、２種類の操作部を設けて釣竿とリール本体の保持状態の変化に対応した駆動モータの出力調整操作を可能とするが、２つの操作部を指で操作する場合、指を側板の外方へ大きく移動させる必要があり、この結果、操作が左右に大きく振れ易くなって安定した出力調整操作が困難になる。
【０００７】
さらに、釣竿とリール本体の保持状態については、釣人によって癖、好みがあり、また、体格や手の大きさの違い、釣人同士で釣具（リール）の貸し借りやレンタルが行われることもある。このような事情を考慮すると、リール本体の保持と駆動モータの出力調整を行うに際しては、位置関係の変動の影響があり、前記操作部材については、全ての釣人にマッチングすることはなく、操作性を低下させる要因になっている。
【０００８】
本発明は、上記した問題に着目してなされたものであり、駆動モータの出力調整の操作性が良好な操作部材を有する魚釣用電動リールを提供することを目的とする。また、本発明は、駆動モータの出力調整操作が容易に行える魚釣用電動リールの操作部材を提供することを目的とする。
【課題を解決するための手段】
【０００９】
上記した目的を達成するために、本発明に係る魚釣用電動リールは、リール本体の左右側板間に設けられ、釣糸が巻回されるスプールと、前記リール本体に設けられ、前記スプールを回転駆動する駆動モータと、前記リール本体の上部に設けられ、前記駆動モータの出力を制御する制御ケースと、前記スプール上方の左右側板間に回動可能に支持され、前記駆動モータの出力を調整する操作部材と、を有しており、前記操作部材は、回動操作される操作部を備えており、前記操作部の位置が左右側板間で変位可能であることを特徴とする。
【００１０】
上記した構成の魚釣用電動リールによれば、前記駆動モータの出力を調整する操作部材の操作部の位置が左右側板間で変位可能になっているため、釣人は、操作部を左右側板間の好みの位置に設定することが可能となる。すなわち、釣人による癖、好み、体格や手の大きさの違い、更には、釣人同士で釣具（リール）の貸し借りやレンタルが行われても、その使用者にとって操作部を最適な位置に設定することができるため、全ての釣り人に対して操作性が良い魚釣用電動リールが得られる。また、片手で釣竿を握持しながらリール本体を把持し、かつスプールをサミング操作する等の手持ち操作できるような小型タイプの魚釣用電動リールであっても、前記操作部材は、スプール上方の左右側板間に回動可能に支持されているため、全ての釣り人にとってそのような操作が行い易くなる。
【００１１】
なお、上記した構成において、操作部材は、リール本体の左右側板間で回動可能に支持されていれば良く、例えば、制御ケースに回動可能に支持され、左右の側板に回動可能に支持され、あるいは、制御ケース後方側に設置された部材等に支持されていても良い。また、操作部材は、スプール上方で回動可能に支持されていれば良く、スプールのフランジの前後方向の範囲内の上方に位置していれば良い。すなわち、操作部材がこのような位置にあれば、釣糸と操作部との間に障害となる部分が存在しなくなり、スプールに巻回されている釣糸に対してサミング操作しつつ、直ちに操作部材の操作部に指を移行することができ、操作性の向上が図れる。さらに、操作部については、その形状は特に限定されることはなく、レバータイプや、ダイヤルタイプであっても良い。
【００１２】
また、上記した構成において、制御ケースは、リール本体の上部に設けられていれば良く、例えば、リール本体の左右側板間の内側に設けられても良いし、左右側板の周端上（左右側板の上側）に設けられても良い。
【００１３】
また、上記した目的を達成するために、本発明に係る魚釣用電動リールは、リール本体の左右側板間に設けられ、釣糸が巻回されるスプールと、前記リール本体に設けられ、前記スプールを回転駆動する駆動モータと、前記リール本体の上部に設けられ、前記駆動モータの出力を制御する制御ケースと、前記スプール上方の左右側板間に回動可能に支持され、前記駆動モータの出力を調整する操作部材と、を有しており、前記操作部材は、回動操作されるダイヤル操作部と、このダイヤル操作部の表面からレバー形状のレバー操作部を突出状態及び収納状態に保持する保持機構と、を備えていることを特徴とする。
【００１４】
上記した構成の魚釣用電動リールによれば、前記駆動モータの出力を調整する操作部材の操作部が回動操作されるダイヤル操作部となっており、釣人の好みに応じてレバー形状のレバー操作部を突没させることができるため、使用者にとって最適な操作部材に設定することが可能となる。この場合、レバー操作部の配設個数、配設位置、大きさ、形状については特に限定されることはなく、レバー操作部については、操作部材に対して着脱可能に装着されていても良い。
なお、上記した構成において、ダイヤル操作部は、指を押し付けて回動操作できるような構成であれば良く、例えば、筒状（内部空洞状）、円柱状（中実状）のものを含み、断面形状については、例えば、円形、楕円形、多角形、一部突出した形状等を含む。
【００１５】
また、上記した目的を達成するために、本発明に係る魚釣用電動リールは、リール本体の左右側板間に設けられ、釣糸が巻回されるスプールと、前記リール本体に設けられ、前記スプールを回転駆動する駆動モータと、前記リール本体の上部に設けられ、前記駆動モータの出力を制御する制御ケースと、前記スプール上方の左右側板間に回動可能に支持され、前記駆動モータの出力を調整する操作部材と、を有しており、前記操作部材は、回動操作されるダイヤル操作部と、このダイヤル操作部の表面から突出するレバー形状のレバー操作部と、を備え、前記レバー操作部は、前記操作部材に対して着脱可能に装着されていることを特徴とする。
【００１６】
上記した構成の魚釣用電動リールでは、レバー操作部が操作部材に対して着脱可能であるため、使用者は、使用状況や好みに応じて、レバー操作部を操作部材から取り外して使用する（ダイヤル操作部のみを使用する）ことができ、あるいは、好みのタイプのレバー操作部に変更して使用することも可能となる。
【００１７】
また、上記した目的を達成するために、本発明に係る魚釣用電動リールは、リール本体の左右側板間に設けられ、釣糸が巻回されるスプールと、前記リール本体に設けられ、前記スプールを回転駆動する駆動モータと、前記リール本体の上部に設けられ、前記駆動モータの出力を制御する制御ケースと、前記駆動モータの出力を調整する操作部材と、を有し、前記操作部材は、前記スプール上方の左右側板間において、着脱可能となるように回動可能に支持されていることを特徴とする。
【００１８】
上記した構成の魚釣用電動リールでは、操作部材そのものがリール本体に対して着脱されるため、使用者は、例えば、ダイヤルタイプのもの、レバータイプのもの、両者を含んでいるもの等、好みのタイプの操作部材に変更することが可能となる。
【００１９】
また、本発明は、魚釣用電動リールに対して、着脱可能な操作部材を提供することを目的とする。このような操作部材は、使用者の好みに応じて様々なタイプのものを揃えておくことができ、リール本体に設けられている係合部に対して着脱可能な着脱部を備えた構造となっている。すなわち、リール本体と操作部材との間で、着脱可能となるように標準化することで、釣人は、好みのタイプの操作部材を選択して使用することが可能となる。
【発明の効果】
【００２０】
本発明によれば、駆動モータの出力調整の操作性が良好な操作部材を有する魚釣用電動リールが得られる。また、本発明によれば、使用者の好みに応じて、操作部材を選択して魚釣用電動リールに装着することが可能となる。
【図面の簡単な説明】
【００２１】
【図１】本発明に係る魚釣用電動リールの第１の実施形態を示す平面図。
【図２】図１に示した魚釣用電動リールをハンドル側から見た側面図。
【図３】図１に示した魚釣用電動リールを後方側から見た後面図。
【図４】図１に示した魚釣用電動リールの内部機構を部分的に示した平面図。
【図５】図１に示した魚釣用電動リールの内部駆動機構を側方から見た概略図。
【図６】（ａ）は図１に示した魚釣用電動リールの操作部材の要部拡大平面図、（ｂ）は操作部材を後方側から見た一部断面図。
【図７】（ａ）は図６（ａ）のＡ−Ａ線に沿う断面図、（ｂ）は図６（ａ）のＢ−Ｂ線に沿う断面図。
【図８】図６に示す操作部材の変形例を示す要部拡大平面図。
【図９】本発明に係る魚釣用電動リールの第２の実施形態を示す要部平面図。
【図１０】図９に示す魚釣用電動リールの操作部材を示し、（ａ）は圧入式の操作部を示す断面図、（ｂ）はネジ止め式の操作部を示す断面図。
【図１１】本発明に係る魚釣用電動リールの第３の実施形態を示す要部平面図。
【図１２】図１１に示す魚釣用電動リールの操作部材を示し、（ａ）は操作部の第１の例を示す断面図、（ｂ）は操作部の第２の例を示す断面図。
【図１３】魚釣用電動リールに装着される操作部材の別の構成例を示す図。
【図１４】魚釣用電動リールに装着される操作部材の更に別の構成例を示す図であり、（ａ）は平面図、（ｂ）は側面図、（ｃ）は後方側から見た図。
【図１５】図１４に示す操作部材のレバー操作部側の保持機構を示す図であり、（ａ）はレバー操作部を正面から見た分解図、（ｂ）はレバー操作部を側方から見た分解図。
【図１６】図１４に示す操作部材のダイヤル操作部側の保持機構を示す図であり、（ａ）は内部構造を示す図、（ｂ）は（ａ）のＣ−Ｃ線に沿う断面図。
【図１７】本発明に係る魚釣用電動リールの第４の実施形態を示す斜視図。
【図１８】図１７に示す操作部材の軸方向に沿った断面図。
【図１９】（ａ）は図１７に示す操作部材の別の例を示す平面図、（ｂ）は（ａ）の操作部材の側面図。
【発明を実施するための形態】
【００２２】
以下、図面を参照しながら、本発明に係る魚釣用電動リールの実施形態について説明する。
図１から図７は本発明に係る魚釣用電動リールの一実施形態を示す図であり、図１は平面図、図２はハンドル側から見た側面図、図３は後方側から見た後面図、図４は内部機構を部分的に示した平面図、図５は内部駆動機構を側方から見た概略図、図６（ａ）は操作部材の要部拡大平面図、図６（ｂ）は操作部材を後方側から見た一部断面図、図７（ａ）は図６（ａ）のＡ−Ａ線に沿う断面図、そして、図６（ｂ）は図６（ａ）のＢ−Ｂ線に沿う断面図である。
なお、以下の説明において、前後方向、左右方向、上下方向は、図１及び図２に記載の方向と定義する。
【００２３】
図１に示すように、本実施形態に係る魚釣用電動リール１は、左右のフレーム３ａ，３ｂに左右カバー４ａ，４ｂを取着して構成される左右側板５Ａ，５Ｂを具備したリール本体５を有している。リール本体５を構成する一方の側板（右側板５Ｂ）側には、巻取り操作される手動ハンドル６が設けられており、左右側板５Ａ，５Ｂ間には、釣糸が巻回されるスプール７が、回転軸であるスプール軸（図示せず）を中心に回転可能に支持されている。また、左右のフレーム３ａ，３ｂ間には、リール本体５を釣竿に装着するためのリール脚５ａが形成されている。
【００２４】
本実施形態では、スプール７の前方側における左右側板５Ａ，５Ｂ間に駆動モータ８（図４参照）を保持しており、スプール７は、手動ハンドル６の巻取り操作および駆動モータ８の回転駆動によって、動力伝達機構１０（図４参照）を介して釣糸巻取り方向に回転駆動される。
【００２５】
前記駆動モータ８については、スプール７の内部に設置する構成であっても良いが、本実施形態のように、スプール７の前方に設置することで、スプール７の糸巻き量を確保しつつ、リール本体５を可及的にコンパクト化することが可能となる。
【００２６】
前記動力伝達機構１０については、駆動モータ８の回転駆動力を減速してスプール７側に伝達する機能（減速機構１２および伝達ベルト１３（図４参照）などによって果たされる）、駆動モータ８が回転駆動しても手動ハンドル６を連れ回しさせない機能、手動ハンドル６の逆回転を防止する機能（ラチェット１４（図５参照）を含む）などを備えた公知のものによって構成することが可能である。また、そのような動力伝達機構１０については、左側板５Ａ側に配設されていても良いし、右側板５Ｂ側に配設されていても良く、或いは、左右側板それぞれに振り分けて配設されていても良い。
【００２７】
なお、図４において、符号１６は、ハンドル６に結合されたハンドル軸、符号１８は、ハンドル軸１６に回転可能に支持されたドライブギヤ、符号２０は、ドライブギヤ１８に噛合するピニオンであり、これらは前述した動力伝達機構１０を構成する。また、図４中、符号２１は、魚釣時にスプール７から釣糸が繰り出された際にスプール７の回転にドラグ力を付与する公知のドラグ機構であり、リール本体５とハンドル６との間には、ドラグ機構２１によるドラグ力の調整を行なうための星型のドラグ調整ノブ（スタードラグ）２２が設けられている。
【００２８】
前記スプール７の前方の左右側板５Ａ，５Ｂ間には、スプール７に対して均等に釣糸を巻回する機能を備えた公知のレベルワインド機構２３（図５参照）が設置されている。また、リール本体５の上部、特に本実施形態では、リール本体５を構成する左右側板５Ａ，５Ｂ間のスプール７の上方に、駆動モータ８を制御する制御部を収容した箱型の制御ケース１０２が配設されている。この場合、制御ケース１０２は、リール本体５の上部に配設されていれば良く、リール本体５を構成する左右側板５Ａ，５Ｂの表面と面一状に構成されていたり、左右側板５Ａ，５Ｂの上面に載置された構成であっても良い。
【００２９】
制御ケース１０２に収容される制御部は、魚釣用電動リールの動作を制御するＣＰＵ（Central Processing Unit）、糸長を計測したり、駆動モータの出力を可変制御するための各種プログラムや設定情報などを記憶したＲＯＭ（Read Only Memory）、一時記憶領域としてのＲＡＭ（Random Access Memory）等を実装した制御基板（マイクロコンピュータ）及び各種駆動回路を実装した回路基板を備えており、制御基板は、各作動要素との間で信号の送受信がなされ、動作を制御する。
【００３０】
前記リール本体５内には、ピニオン２０を軸方向に移動させてスプール７を釣糸巻き取り状態／フリー回転状態に切り換える公知のクラッチ機構３０（図５参照）が配設されている。このクラッチ機構３０は、動力伝達機構１０に介在されて手動ハンドル６および駆動モータ８からの動力伝達を継脱する機能を備えており、本実施形態では、右側板５Ｂ側に設置されている。このクラッチ機構３０を構成するクラッチプレート３１には、動力伝達をＯＮ状態からＯＦＦ状態に切り換えるクラッチＯＦＦ切換部材３２と、動力伝達をＯＦＦ状態からＯＮ状態に切り換えるクラッチＯＮ切換部材３３が係合している。
【００３１】
本実施形態におけるクラッチＯＦＦ切換部材３２は、スプール７をサミングしながら操作が可能となるように、スプール７の後方側の左右側板５Ａ，５Ｂ間に橋設された構成となっており、図３に示す状態から、その表面となる操作部３２ａに親指を載置して下方に押し下げ操作することで、クラッチ機構３０をＯＮ状態からＯＦＦ状態に切り換えるよう構成されている。このクラッチＯＦＦ切換部材３２は、前記クラッチプレート３１に係合する振り分け保持バネ３５によって、図５に示すクラッチＯＮ位置とクラッチＯＦＦ位置（図示せず）との間で振り分け保持される。
【００３２】
また、本実施形態におけるクラッチＯＮ切換部材３３は、右側板５Ｂ側に設置されており、前記振り分け保持バネ３５によってクラッチＯＮ位置とクラッチＯＦＦ位置との間で揺動可能となるよう振り分け保持されている。この場合、クラッチＯＮ切換部材３３は、クラッチＯＮ状態では、図２，図５に示すように、右側板５Ｂの表面と略面一状となり、クラッチＯＦＦ状態では、右側板５Ｂの表面から突出するようになっている。このクラッチＯＮ切換部材３３は、スプール７に巻回された釣糸に対して親指の腹部でサミング操作している状態から容易にＯＮ操作できるように（左側板の後端側を支点として親指が届き易いように）、巻回されている釣糸の側方でやや後方側に設置されていることが好ましい。
なお、クラッチＯＮ切換部材３３は、上記のように揺動される機械式以外にも、電気式（例えば、ソレノイドを利用したもの）で構成されていても良い。また、クラッチＯＦＦ切換部材３２と一体部材で構成されていても良い。
【００３３】
前記リール本体５には、駆動モータ８に対して電力を供給するための給電部３８が設けられている。この給電部３８は、左側板５Ａの前方側の下面領域に形成されており、この給電部３８に対しては、着脱可能な携帯バッテリ（図示せず）を装着したり、或いは、足元に置いたバッテリや釣り船に設置されている電源部から電力供給される給電コードが装着される。
【００３４】
また、本実施形態の制御ケース１０２は、スプール７に対して上方で、その回転軸（この回転軸としては、本実施形態ではスプール７の外側に駆動モータ８が配置されているため前述したスプール軸が該当するが、スプール７の内部に駆動モータ８が配置される別の形態ではスプール軸が存在しないためモータ８の回転軸が該当する）近傍からレベルワインド機構２３および駆動モータ８を覆うような大きさを備えている。
【００３５】
また、スプール７上方の左右側板５Ａ，５Ｂ間には（本実施形態では、制御ケース１０２の後方部分に）、駆動モータ８の出力を調整する操作部材４０が配置されている。この操作部材４０は、スプール７の上方で回動可能に支持されていれば良く、具体的には、スプール７のフランジの前後方向の範囲内の上方に位置していれば良い。
【００３６】
本実施形態の操作部材４０は、制御ケース１０２の後端縁１０２ａに沿って配設されており、左右側板間に回動可能に支持される本体軸４２と、本体軸４２に沿ってスライド可能となるように本体軸４２に保持される略円筒状の操作部４５とを有する。この場合、本体軸４２は、スプール７のスプール軸と略平行に配設されており、これにより操作部４５は、スプール７側にも露出した状態で、前後方向（図１に示す平面視）、及び、上下方向（図３に示す後面視）に向けて回動操作できるように構成されている。なお、本体軸４２は、制御ケース１０２の後端縁１０２ａに前方に向けて凹陥部を形成しておき、制御ケース１０２に対して回動可能に支持する構成であっても良い。或いは、制御ケースとは別の部材を配設し、その部材に対して回動可能に支持する構成であっても良い。
【００３７】
前記操作部材４０の操作部４５は、その表面部分に指を押し付けて前後方向、及び上下方向に回動操作（転がすような操作）されるように構成されており、ダイヤル状の操作部としての機能を備えている（以下、本実施形態の操作部をダイヤル操作部と称する）。この場合、ダイヤル操作部４５の軸方向長さＬ（図６参照）は、親指を下方側から（スプールの表面から）当て付けて容易に上下方向に回動操作したり、上方側から押え付けて、容易に前後方向に回操作できるように、３〜１５ｍｍ程度あることが好ましい。また、このような構成では、ダイヤル操作部４５の表面に、周方向に亘って連続する凹凸４５ａ等を形成しておくことが好ましく、これにより、当て付けた指を滑らせることなく、回転操作を容易かつ安定して行なうことが可能となる。
【００３８】
また、ダイヤル操作部４５を構成する略円筒状とは、内部が中実であっても良いし、全体或いは部分的に空洞部があるものを含む概念である。また、その外形状については、正確な円筒形状は勿論、図（例えば図６）に示すような凹凸４５ａが形成されていたり、指を押し付けることが可能な突起部（図示せず）が形成されたものであっても良い。或いは、軸方向の中間部分が膨出していたり、窪んでいるなど、軸方向に親指の腹部が当接できて回転操作ができるような外形状を備えたものであっても良い。また、ダイヤル操作部４５の回転表面は、制御ケース１０２の表面から突出していても良いし、略面一状にされていても良い。
【００３９】
前記操作部材４０は、ダイヤル操作部４５が本体軸４２に沿ってスライド可能となっており、ダイヤル操作部４５の位置が左右側板５Ａ，５Ｂ間で変位可能（ダイヤル操作部４５は、左右側板間の任意の位置に設置可能）となっている。この場合、本実施形態の操作部材４０は、本体軸４２とダイヤル操作部４５とが節度機構を備え、ダイヤル操作部４５が本体軸４２に対して節度を持ってスライドできるようになっている。なお、ここでの変位可能とは、実際に駆動モータの出力を調整すべく指で操作される部位が、左右側板間において所望の位置（任意の位置）に設定できることを意味する。また、節度とは、移動可能となる固定状態、すなわち、軸方向位置が固定されると共に、軸方向に力を加えることで移動できる固定状態のことを意味する。
【００４０】
具体的には、図６および図７に示すように、前記節度機構は、本体軸４２の上端面に本体軸４２のほぼ全長に亘って形成される歯列４３と、ダイヤル操作部４５側に設けられて歯列４３のそれぞれの歯に対して、バネ５０によって弾性的に係合できるピン５２とを有する。この場合、バネ５０は、ダイヤル操作部４５の円筒状の操作部本体４７にその径方向に貫通して設けられる収容孔４７ｂ内に収容されて、その一端が操作部本体４７の外周に被嵌される円環状のカバー４８の内面に固定されており、前記ピン５２は、バネ５０の他端に取り付け固定されている。
【００４１】
これにより、ピン５２は、歯列４３の各歯の歯底へ向けて弾性に付勢され、歯間の隙間４９に弾性的に係脱可能に係合している。すなわち、ダイヤル操作部４５を本体軸４２の軸方向（図７の（ｂ）に矢印で示される方向）にスライドさせると、ピン５２が歯列４３の各歯に対して連続的に係脱することから、ダイヤル操作部４５を本体軸４２に対して節度を持ってスライドさせることができ、ピン５２と歯列４３との任意の軸方向係合位置で、ダイヤル操作部４５を本体軸４２に対して任意の位置で固定できるとともに、位置変更操作が容易にできる。
【００４２】
なお、ダイヤル操作部４５を構成する操作部本体４７は、互いに略平行に対向する平面部４７ａ，４７ａをその内面の両側に有しており、これらの平面部４７ａ，４７ａを本体軸４２の両側の外面に形成された平面部４２ａ，４２ａと対向させた状態で本体軸４２の外周に嵌合されることにより、本体軸４２に対して回り止めされ、本体軸４２と一体に回転できるようになっている。また、操作部本体４７の外周に被嵌されるカバー４８は、ダイヤル操作部４５の表面を形成し、前述した凹凸４５ａをその外面に有する。
【００４３】
また、リール本体内（本実施形態では左側板側）には、操作部材４５の本体軸４２の操作角度を検知する検知手段、具体的には、角度センサ１１０が設置されており、本体軸４２の回動位置に応じた操作位置信号を出力するようになっている。すなわち、角度センサ１１０は、ダイヤル操作部４５の操作位置に応じて操作信号を出力し、駆動モータ８は、前記操作信号に基づいて（ダイヤル操作部４５の操作位置に応じて）、その出力を調整することが可能となっている。なお、角度センサ１１０は、ダイヤル操作部４５（本体軸４２）の操作角度に応じた信号を生成する機能を備えたものであれば良く、例えば、本体軸４０の操作量に応じた抵抗値の変化を出力するポテンショメータを備えたもの、磁石を装着して回転位置に応じて磁界の変化を検出するもの、操作量に応じたパルスを生成するエンコーダを備えたものなど、様々な構造のものを適用することが可能である。
【００４４】
また、上述したように、制御ケース１０２内には、駆動モータ８の駆動を制御する制御部が収容されており、ダイヤル操作部４５の回動操作量に応じて駆動モータ８の出力を調整するようになっている。この場合、制御部は、ダイヤル操作部４５を前方に向けて回動操作することで、駆動モータ８の出力が上昇するように設定されている。これにより、クラッチＯＦＦにして釣糸を出すこと、及び、クラッチＯＮにして釣糸を巻くことを頻繁に繰り返す操作、例えば、仕掛けにテンションを与えた状態で底だちを取る操作（海底付近の一般に言う底釣りにおいて、水深に合わせて糸の繰り出し量を調整する操作）を行なう際、親指をそのまま前方に延ばして、ダイヤル操作部４５を押し上げるような操作をすることで、釣糸の巻き取り操作が瞬時に行えるようになり、操作性の向上が図れるようになる。
【００４５】
なお、ダイヤル操作部４５の回動操作量と駆動モータ８の出力との関係については任意である。例えば、ダイヤル操作部４５の所定の基準位置をモータの出力値ゼロとして、略１２０°前方に回転操作した際、モータ出力がＭａｘになるように設定するようにしても良い。もちろん、ダイヤル操作部４５を後方に向けて回動操作した際に、駆動モータ８の出力が上昇するように設定しても良い。
【００４６】
前記制御ケース１０２の表面には、繰り出された釣糸の長さ（糸長情報）などを表示する表示部（液晶表示部）１２０が設けられており、その周囲には、各種の情報が設定可能な複数の操作ボタン１２１ａ，１２１ｂが配設されている。この操作ボタン１２１ａ，１２１ｂは、例えば、投入した仕掛けを所望の深さで停止させる深さ情報、駆動モータ８の出力の可変範囲を変更する出力範囲設定情報など、釣り人から各種の情報を受け付ける機能を有する。
【００４７】
以上のように、本実施形態の魚釣用電動リール１は、駆動モータ８の出力を調整する操作部材４０のダイヤル操作部４５の位置が左右側板５Ａ，５Ｂ間で変位可能になっているため、釣人は、ダイヤル操作部４５を左右側板５Ａ，５Ｂ間の好みの位置に設定することが可能となる。すなわち、釣人による癖、好み、体格や手の大きさの違い、更には、釣人同士で釣具（リール）の貸し借りやレンタルが行われても、その使用者にとってダイヤル操作部４５を最適な位置に設定することができるため、全ての釣り人に対して操作性が良い魚釣用電動リールが得られる。
【００４８】
また、片手で釣竿を握持しながらリール本体５を把持し、かつスプール７をサミング操作する等の手持ち操作できるような小型タイプの魚釣用電動リールであっても、操作部材４０は、スプール７上方の左右側板５Ａ，５Ｂ間で回動可能に支持されているため、全ての釣り人にとってそのような操作が行い易くなり、かつ、ダイヤル操作部４５の位置を変更できるため、最適な操作性が得られるようになる。
【００４９】
図８は、図６に示す操作部材４０の変形例を示す図である。この変形例の操作部材４０Ａは、ダイヤル操作部４５に、その外表面から径方向外方に突出するレバー状のレバー操作部６０を備えた構成となっている。
【００５０】
このようなレバー操作部６０を設けることで、レバー操作部６０を指で摘まんで操作することができるとともに、実釣時において、操作部材４０の回動位置を把握させ易くすることができる。なお、操作部材の操作部については、図１から図７に示すようなダイヤル操作部４５、図８に示すようなダイヤル操作部４５にレバー操作部６０を形成した構成以外にも、単にレバー状のレバー操作部として構成しても良い。或いは、レバー操作部６０の両サイドをダイヤル操作部としても良いし、本体軸４２の表面そのものを、回動操作が可能なダイヤル操作部としての機能を持たせても良い。
このようにすることで、操作部材の操作性の向上が図れるとともに、操作部材の現在の回動位置を容易に把握させ易くすることが可能となる。
【００５１】
図９及び図１０は、本発明に係る魚釣用電動リールの第２の実施形態を示す図であり、図９は要部平面図、図１０（ａ）は圧入式の操作部を示す断面図、図１０（ｂ）はネジ止め式の操作部を示す断面図である。
【００５２】
本実施形態の操作部材４０Ｂは、左右側板間に回動可能に支持される本体軸６２に、レバー形状の操作部６５Ａまたはレバー形状の操作部６５Ｂ（以下、レバー操作部と称する）を軸方向の所定の位置で着脱自在に固定できる（レバー操作部６５Ａ，６５Ｂの位置が左右側板５Ａ，５Ｂ間で変位可能）ように構成されている。
【００５３】
具体的に、前記本体軸６２は、レバー操作部６５Ａ（またはレバー操作部６５Ｂ）を受けるための複数のスリット孔をその軸方向に沿って所定の間隔で備えており、本実施形態では、本体軸６２の左右両端近傍、及び中央に３つのスリット孔６２ａ，６２ｂ，６２ｃを設けている（スリット孔の数および位置は任意である）。
【００５４】
前記スリット孔６２ａ，６２ｂ，６２ｃには、圧入式のレバー操作部６５Ａが着脱可能となっている。圧入式のレバー操作部６５Ａは、指で操作される所定の広がり面積を有する操作体６６と、操作体６６から延びてスリット６２ａ，６２ｂ，６２ｃに挿入可能なスリット６２ａ，６２ｂ，６２ｃと略同一形状の挿入部６７とを有しており、操作体６６の下縁７１が、挿入部６７の挿入時に本体軸６２の外周面に突き当たってスリット６２ａ，６２ｂ，６２ｃ内への挿入部６７の挿入量を規定するようになっている。また、挿入部６７は、その外側面から膨出して延びる弾性変形可能な膨出部６７ａを有しており、この膨出部６７ａは、挿入部６７との間に形成される変形許容空間６９の分だけ内側に弾性変形できるようになっている。
【００５５】
したがって、このような構成の圧入式のレバー操作部６５Ａは、その挿入部６７を３つのスリット６２ａ，６２ｂ，６２ｃのいずれかに挿入すると、膨出部６７ａが内側に弾性変形して挿入部６７がスリットに対して圧入固定でき、かつ、操作体６６を引き抜くと、膨出部６７ａが弾性変形して取り外しできるようになっている（膨出部６７ａがスリットの内面に圧接され、レバー操作部６５Ａの挿脱時に弾性変形する）。
【００５６】
また、図１０（ｂ）に示すようなネジ止め式のレバー操作部６５Ｂにすることで、スリットに対する固定を確実にすることが可能となる。このネジ止め式のレバー操作部６５Ｂも、圧入式のレバー操作部６５Ａと同様、操作体６６と挿入部６７を備えており、挿入部６７は、上記した弾性変形可能な膨出部６７ａの代わりに、ネジ７０が挿通できる挿通孔６７ｂを有している。また、本体軸６２には、スリット６２ａ，６２ｂ，６２ｃを横切るように、ネジ７０が挿通される螺子穴６２ｆ、及び、ネジ７０の頭部を本体軸６２の外側輪郭内に収めるべく、ネジ７０の頭部を収容できる陥凹溝６２ｄが形成されている。
【００５７】
このように、レバー操作部６５Ａ，６５Ｂを本体軸６２の任意の位置（本実施形態では所定の３つの位置）で着脱自在に固定できれば、釣人は、レバー操作部６５Ａ，６５Ｂを左右側板５Ａ，５Ｂ間の好みの位置に設定することが可能となり、上記した実施形態と同様、全ての釣り人に対して操作性が良い魚釣用電動リールが得られる。また、ネジ止め式に構成することで、使用中の紛失、外れることを防止することができる。
【００５８】
なお、上記した構成では、本体軸６２は、ダイヤル操作部としての機能を持たせることが可能であるが、回動可能な単なる軸として構成されていても良い。また、複数のレバー操作部をスリット６２ａ，６２ｂ，６２ｃのうちの複数（例えば、左右両側のスリット６２ａ，６２ｃなど）に取り付けるようにしても良い。また、操作体６６の形状が異なる複数種のレバー操作部を準備しておき、選択的に１または複数のスリットに取り付けるようにしても良い。さらに、ネジ止め以外にピン等によって固定するようにしても良い。
【００５９】
図１１および図１２は、本発明に係る魚釣用電動リールの第３の実施形態を示す図であり、図１１は要部平面図、図１２は操作部材の断面図であり、（ａ）は操作部の第１の例を示す断面図、（ｂ）は操作部の第２の例を示す断面図である。
本実施形態では、操作部材４０Ｃの操作部７５Ａ（または操作部７５Ｂ）が本体軸７２に沿ってスライド自在になっており、軸方向の任意の位置（釣り人が最も操作しやすい位置）でネジ止め固定されるようになっている。また、本体軸７２の軸方向に沿ってスライド可能な操作部は、例えば、図１２（ａ）に示すように、レバー操作部７５Ａ、或いは、図１２（ｂ）に示すように、ダイヤル操作部７５Ｂで構成することが可能である。
【００６０】
前記レバー操作部７５Ａは、円柱状の本体軸７２の外周に軸方向スライド可能に嵌合する円環状の嵌合部８０と、この嵌合部８０から径方向にレバー状に延びる操作体８２とを有し、操作体８２の外面には、当て付けた指を滑らせることなく回転操作を容易かつ安定して行なうことができるように連続する凹凸８１等が形成される。
【００６１】
また、本体軸７２の軸方向に沿う任意の位置でレバー操作部７５Ａを固定できるように、レバー操作部７５Ａの嵌合部８０には、ネジ８６がねじ込まれるネジ穴８０ａが形成されており、ネジ８６の先端が所望の軸方向位置で、本体軸７２の外周面にその長手方向の全長に亘って形成される平面部７２ａに対して圧接または食い込み係合されるようになっている。なお、ネジ８６の頭部８６ａを嵌合部８０の外側輪郭内に収めるべく、嵌合部８０の外面にネジ８６の頭部８６ａを収容できる陥凹溝８０ｂを設けることが好ましい。
【００６２】
一方、ダイヤル操作部７５Ｂは、円柱状の本体軸７２の外周に軸方向にスライド可能に嵌合する円環状の嵌合部８３によって形成される。嵌合部８３の外面には、当て付けた指を滑らせることなく回動操作を容易かつ安定して行なうことができるように、連続した凹凸８４がほぼ全周にわたって形成されるとともに、指を軽く当て付けることができる凸部８８が周方向の１または複数の箇所に設けられている。
【００６３】
このダイヤル操作部７５Ｂについても本体軸７２の軸方向に沿う任意の位置で固定できるように、ダイヤル操作部７５Ｂの嵌合部８３には、ネジ８９がねじ込まれるネジ穴８３ａが形成されており、ネジ８９の先端が所望の軸方向位置で、本体軸７２の外周面にその長手方向の全長に亘って形成される平面部７２ａに対して圧接または食い込み係合されるようになっている。なお、ネジ８９の頭部８９ａを嵌合部８３の外側輪郭内に収めるべく、嵌合部８３の外面にネジ８９の頭部８９ａを収容できる陥凹溝８３ｂを設けることが好ましい。
【００６４】
このように、操作部７５Ａ（または７５Ｂ）が軸方向に沿ってスライド自在にネジ止め固定されるようになっていれば、釣人は、操作部７５Ａ（または７５Ｂ）を左右側板５Ａ，５Ｂ間の好みの位置に設定することが可能となり、上記した実施形態と同様、全ての釣り人に対して操作性が良い魚釣用電動リールが得られる。
【００６５】
なお、上記した構成では、レバー操作部７５Ａまたはダイヤル操作部７５Ｂが本体軸７２に設けられるが、レバー操作部７５Ａおよびダイヤル操作部７５Ｂの両方が本体軸７２にスライド自在に取り付けられていても良く、あるいは、レバー操作部７５Ａまたはダイヤル操作部７５Ｂの一方が複数個、本体軸７２に設けられていても良い。
【００６６】
図１３は、魚釣用電動リールに装着される操作部材の別の構成例を示す図である。
この構成例で示す操作部材４０Ｄは、中央にレバー操作部９０、その両サイドにダイヤル操作部９２を有しており、レバー操作部９０が操作部材４０Ｄに対して着脱自在に装着されるようになっている。
【００６７】
具体的には、操作部材４０Ｄは、左右側板５Ａ，５Ｂ間に回動可能に支持される本体軸４２を備えており、その中央領域に平面状のレバー操作部９０を備え、レバー操作部９０の少なくとも一方の側部（本実施形態では両側部る）に、ダイヤル操作部９２が形成されている。この場合、レバー操作部９０は、板状に形成されて表面が平坦状になっており、親指の腹部を載せることができる程度の大きさ（段差部９３，９３間の幅Ｗが１２〜３０ｍｍ程度）に形成されている。また、レバー操作部９０とダイヤル操作部９２の境界は、レバー操作部９０に指（親指）を載置した際、その指が当て付く段差部９３で区画されている。
【００６８】
前記ダイヤル部材９２は、親指を下方側から（スプール７の表面から）当て付けて容易に上下方向に回転操作したり、上方側から押え付けて、容易に前後方向に回転操作できるように、その軸方向長さＬは３〜１５ｍｍ程度あることが好ましい。
【００６９】
また、レバー操作部９０は、単に平坦面として構成しても良いが、指を載置した際、その座りが安定するように、表面に凹部９０ａを形成しておくことが好ましい。このため、凹部９０ａの周囲９０ｂは盛り上がった状態となり、凹部９０ａに指を載置すると、腹部が安定し、操作性の向上が図れるようになる。また、凹部９０ａの表面には、滑りを抑制して操作性を向上するための手段（滑り抑制部）、例えば、図に示すように、複数の突起９０ｃを形成したり、高摩擦部材等（図示せず）を被着しておくことが好ましい。これにより、表面での滑りを抑制し安定した操作を行なうことが可能となる。
【００７０】
また、レバー操作部９０については、ダイヤル操作部９２の表面から径方向外方に突出するような大きさに形成しておくことが好ましい。これにより、レバー操作部９０を指で容易に摘み易くなるとともに、スプールをサミングしながら容易に押し上げ操作し易くなる。また、レバー操作部９０は、先端に移行するに従って軸方向の幅が減少するように構成することで、糸絡みし難くすると共に指の当たりを良くし、回動操作し易くすることができる。
【００７１】
上記のように構成されるレバー操作部９０は、図１３の二点鎖線および実線でそれぞれ示すように、ネジ止め、圧入などの様々な機械的手段によって、操作部材４０Ｄ（本体軸４２）に対して着脱自在になっている。このように、レバー操作部９０が操作部材４０Ｄに対して着脱可能であれば、使用者（釣人）は、使用状況や好みに応じて、レバー操作部９０を操作部材４０Ｄから取り外して使用（ダイヤル操作部９２のみを使用）したり、あるいは、レバー操作部９０をダイヤル操作部９２と共に使用することができ、更には、好みの他のタイプのレバー操作部（図示せず）に変更して使用することも可能となる。
なお、着脱自在なレバー操作部９０が操作部材４０Ｄに対して複数設けられても良く、さらには、レバー操作部９０の着脱位置については図１３に示される位置に限定されることはない。
【００７２】
図１４から図１６は、魚釣用電動リールに装着される操作部材の更に別の構成例を示す図であり、図１４（ａ）は平面図、図１４（ｂ）は側面図、図１４（ｃ）は後方側から見た図、図１５は、図１４に示す操作部材のレバー操作部側の保持機構を示す図であり、図１５（ａ）はレバー操作部を正面から見た分解図、図１５（ｂ）はレバー操作部を側方から見た分解図、そして、図１６は、図１４に示す操作部材のダイヤル操作部側の保持機構を示す図であり、図１６（ａ）は内部構造を示す図、図１６（ｂ）は（ａ）のＣ−Ｃ線に沿う断面図である。
【００７３】
本実施形態の操作部材４０Ｅは、ダイヤル操作部４５の表面からレバー操作部１３５が突没自在に構成されており、ダイヤル操作部４５の表面からレバー操作部１３５を突出状態と収納状態とにそれぞれ保持できる保持機構とを備えている。この場合、ダイヤル操作部４５は、上記した実施形態と同様、本体軸に対して軸方向にスライドできる構成であっても良い。
【００７４】
レバー操作部１３５を突没させる保持機構は、例えば、ダイヤル操作部４５の内部に設けられる公知のハートカム溝１５０（図１６参照）と、レバー操作部１３５側に設けられてバネ１４０の付勢力によってその先端係合部１４２ｂがハートカム溝１５０に弾性的に常時係合される作動杆１４２（図１５参照）とを備えた構成となっている。
【００７５】
ダイヤル操作部４５の内部に設けられるハートカム溝１５０は、図１６（ａ）に示すように、段差および傾斜面を有するハート型の溝として形成されており、同一起点から両側に円弧状に分岐して延びる押し込み案内溝１５０ａおよび突出案内溝１５０ｄと、前記起点の反対側で押し込み案内溝１５０ａと突出案内溝１５０ｄとを連結する屈曲した係止案内溝１５０ｂとを有する。
【００７６】
一方、レバー操作部１３５側に設けられる作動杆１４２は、図１５に示すように、屈曲ピン状の軸部材１４２ａとして形成されており、この軸部材１４２ａは、バネ１４０を支持してバネ１４０と共にレバー操作部１３５の内側の収容凹部１３５ａ内に収容されるバネ支持部１４２ｄと、バネ１４０を受けるフランジ１４２ｃと、ハートカム溝１５０に係合する先端係合部１４２ｂとを有する。
【００７７】
レバー操作部１３５の両側には外側にフック状に屈曲する係止部１３９が設けられており、これらの係止部１３９は、ダイヤル操作部４５の突没用の開口１３０に挿入されてダイヤル操作部４５の内面１３３（図１６（ａ）参照）に係止されるようになっている。なお、係止部１３９が開口１３０に挿入されてレバー操作部１３５がダイヤル操作部４５に対して突没可能に取り付けられた状態では、バネ１４０の付勢力を受ける作動杆１４２は、そのフランジ１４２ｃを利用して、ハートカム溝１５０と対向してダイヤル操作部４５の内面に設けられる作動杆押さえ１３７によって押さえられて保持されるようになっている。
【００７８】
このような保持機構によれば、まず、ダイヤル操作部４５の外表面から突出するレバー操作部１３５（図１４（ｃ）参照）をバネ１４０の付勢力に抗して押し込むと、作動杆１４２の先端係合部１４２ｂは、ハートカム溝１５０の押し込み案内溝１５０ａの起点部から、押し込み案内溝１５０ａの傾斜面１５０ａ’（図１６（ｂ）参照）を登るように押し進み、その後、一段低い係止案内溝１５０ｂへと移行する。その状態で、レバー操作部１３５への押し込み力を解除すると、バネ１４０の復元力によって作動杆１４２の先端係合部１４２ｂが係止案内溝１５０ｂに沿って戻るように進み、更に一段低い係止溝１５０ｃに係止される。この状態では、レバー操作部１３５がダイヤル操作部４５内に没した収納状態に保持される。また、この収納状態では、開口１３０を通じて露出するレバー操作部１３５は、その先端がダイヤル操作部４５から僅かに突出した状態に維持される（収納時では、ダイヤル操作部と面一であっても良い）。
【００７９】
また、この収納状態からレバー操作部１３５をダイヤル操作部４５の外表面から突出させる場合には、レバー操作部１３５に更に押し込み方向の力を作用させる。これにより、作動杆１４２の先端係合部１４２ｂが係止案内溝１５０ｂから突出案内溝１５０ｄへと案内される。その状態で、今度は、レバー操作部１３５への押し込み力を解除すると、バネ１４０の復元力によって、作動杆１４２の先端係合部１４２ｂは、突出案内溝１５０ｄの傾斜面１５０ｄ’（図１６（ｂ）参照）を登るように移動し、その後、一段低い押し込み案内溝１５０ａへと移行して最初の起点部で係止する。この状態では、レバー操作部１３５は、その先端がダイヤル操作部４５から僅かに突出した突出状態（指を当て付けた際に検知できる程度の突出状態）に保持される。
【００８０】
以上の構成によれば、駆動モータ８の出力を調整する操作部材４０Ｅの操作部が回動操作されるダイヤル操作部４５となっており、釣人の好みに応じてレバー形状のレバー操作部１３５を突没させることができるため、使用者にとって最適な操作部材４０Ｅに設定することが可能となる。また、レバー操作部１３５の収納状態では、その先端がダイヤル操作部の表面から僅かに突出しているため、ダイヤル操作部の回動位置を容易に把握することが可能となる。なお、レバー操作部１３５の配設個数、配設位置、大きさ、形状については特に限定されることはない。
【００８１】
図１７及び図１８は、本発明に係る魚釣用電動リールの第４の実施形態を示す図であり、図１７は、斜視図、図１８は、図１７に示す操作部材の軸方向に沿った断面図である。
本実施形態では、操作部材４０Ｆが、スプール上方の左右側板５Ａ，５Ｂ間において着脱できるようになっている。リール本体に装着されている操作部材４０Ｆは、ダイヤル操作部１６４（既に前述した様々な構成のダイヤル操作部のうちの１つであってもよい）と、ダイヤル操作部１６４の両側から突出して、操作部材そのものをリール本体に対して着脱させる軸部１６０，１６２（着脱部を構成する）とを備えており、これらの軸部１６０，１６２がリール本体５の係合部４１に対して着脱自在に取り付けられることで回動可能に支持されるようになっている。
【００８２】
操作部材をリール本体に対して着脱させる機構については、特に限定されることはないが、本実施形態では、図１８に示すように、一方の軸部１６２に伸縮機構が配設されており、軸部１６２はダイヤル操作部１６４に対して軸方向に伸縮できるようになっている。前記伸縮機構は、ダイヤル操作部１６４に軸方向に沿って形成された収容穴１６４ａ内に収容されるバネ１６５を有しており、このバネ１６５は、その一端が収容穴１６４ａの端面に当て付けられるとともに、その他端が、収容穴１６４ａ内にスライド可能に挿通される軸部１６２の大径の押圧端部１６２ｂに当接されている。この場合、収容穴１６４ａ内に挿通される軸部１６２の押圧端部１６２ｂは、収容孔１６４ａを閉塞するべくダイヤル操作部１６４の端面に取り付けられた抜け止め部材１６６によって収容穴１６４ａからの抜けが防止され、抜け止め部材１６６の通孔からは軸部１６２の小径軸体１６２ａが外部に突出した状態となっている。
【００８３】
そして、ダイヤル操作部１６４の両側から突出する軸部１６０，１６２の端面には、リール本体５の前述した係合部４１の係止凸部４１ａに係脱可能に係止される凹状の係止溝１７０が設けられている。なお、ダイヤル操作部１６４を回動させるのは、係合部４１が回動可能に構成されたものであってもよいし、係止凸部４１ａが回動可能に構成されたものであってもよい。
【００８４】
このような構成によれば、ダイヤル操作部１６４の軸部１６２の伸縮を利用して軸部１６０，１６２の係止溝１７０をリール本体５の係合部４１の係止凸部４１ａに係脱自在に取り付けることが可能となり、操作部材４０Ｆそのものを、スプール７上方の左右側板５Ａ，５Ｂ間において着脱する（交換する）ことが可能となる。
【００８５】
交換される操作部材は、様々な形態にすることができ、上記した着脱部、及び係止部を設けることで標準化することができ、例えば、図１９に示すように構成することが可能である。図１９に示す操作部材４０Ｇは、図１３で示した操作部材４０Ｄに、図１８に示すような同様の伸縮機構を設けたものであり、釣り人の好みに応じて、ダイヤル操作部のみを有する操作部材４０Ｆから、ダイヤル操作部とレバー操作部を有する操作部材４０Ｇに交換することを可能にする。このような操作部材については、多種、多様なものを準備しておくことができ、釣り人の好みに応じて交換することが可能となる。
【００８６】
以上、本発明の実施形態について説明したが、本発明は、駆動モータの出力を調整する操作部材の操作部の位置が左右側板間で変位可能、あるいは、操作部材がリール本体に着脱可能、あるいは、操作部が操作部材に対して着脱可能、あるいは、ダイヤル操作部からレバー操作部が突没自在であれば良く、その操作部材や操作部の設置位置、設置数、設置方法、及び操作方向など、適宜変形することが可能である。
【符号の説明】
【００８７】
１  魚釣用電動リール
５  リール本体
５Ａ，５Ｂ  左右側板
７  スプール
８  駆動モータ
４０，４０Ａ，４０Ｂ，４０Ｃ，４０Ｄ，４０Ｅ，４０Ｆ，４０Ｇ  操作部材
４１  係合部
４２  本体軸
４３  歯列（節度機構）
４５，７５Ｂ，９２，１６４  ダイヤル操作部
５０  バネ（節度機構）
５２  ピン（節度機構）
６５Ａ，６５Ｂ，７５Ａ，９０，１３５  レバー操作部
１４２  作動杆（保持機構）
１５０  ハートカム溝（保持機構）
１６２  軸部（伸縮機構）
１６５  バネ（伸縮機構）
１７０  係止溝
【図１】
2015208311.tif 000003
【図２】
2015208311.tif 000004
【図３】
2015208311.tif 000005
【図４】
2015208311.tif 000006
【図５】
2015208311.tif 000007
【図６】
2015208311.tif 000008
【図７】
2015208311.tif 000009
【図８】
2015208311.tif 000010
【図９】
2015208311.tif 000011
【図１０】
2015208311.tif 000012
【図１１】
2015208311.tif 000013
【図１２】
2015208311.tif 000014
【図１３】
2015208311.tif 000015
【図１４】
2015208311.tif 000016
【図１５】
2015208311.tif 000017
【図１６】
2015208311.tif 000018
【図１７】
2015208311.tif 000019
【図１８】
2015208311.tif 000020
【図１９】
2015208311.tif 000021